(57)【要約】【課題】  インクジェットプリンターとは独立して設計変更されることができる媒体仮置き装置を提供する。【解決手段】  ロール状の印刷媒体であるロール媒体に印刷を実行する印刷部と、印刷部による印刷のためにロール媒体を保持するロールホルダーとを備えているインクジェットプリンターのロールホルダーに対してロール媒体が着脱されるための着脱用高さでロール媒体が仮置きされる媒体仮置き装置１００は、ロール媒体が載置される媒体載置部１２０と、媒体載置部１２０の高さを調整する高さ調整機構１３０と、インクジェットプリンターに着脱可能に連結される溝部１１１ａおよび接触部１１２ａとを備えていることを特徴とする。【選択図】  図３
2015129030.tif 000002
【特許請求の範囲】
【請求項１】
ロール状の印刷媒体であるロール媒体に印刷を実行する印刷部と、
前記印刷部による印刷のために前記ロール媒体を保持する媒体保持部とを備えているインクジェットプリンターの前記媒体保持部に対して前記ロール媒体が着脱されるための着脱用高さで前記ロール媒体が仮置きされる媒体仮置き装置であって、
前記ロール媒体が載置される媒体載置部と、
前記媒体載置部の高さを調整する高さ調整機構と、
前記インクジェットプリンターに着脱可能に連結される連結部とを備えていることを特徴とする媒体仮置き装置。
【請求項２】
前記連結部は、前記インクジェットプリンターにおいて前記ロール媒体の延在方向に延在して前記媒体保持部を前記延在方向に移動可能に支持するガイド部材に着脱可能に連結されることを特徴とする請求項１に記載の媒体仮置き装置。
【請求項３】
前記高さ調整機構は、
前記媒体載置部の高さを調整するための動力が入力される操作部と、
前記媒体載置部の高さの上昇を許容して下降を禁止するロック機構とを備えていることを特徴とする請求項１または請求項２に記載の媒体仮置き装置。
【請求項４】
前記高さ調整機構は、前記操作部に入力された動力によって生じた回転力を前記媒体載置部の高さ方向の動きに変換するラック・アンド・ピニオンを備えていることを特徴とする請求項３に記載の媒体仮置き装置。
【発明の詳細な説明】
【技術分野】
【０００１】
本発明は、ロール状の印刷媒体であるロール媒体に印刷を実行するインクジェットプリンターの媒体保持部に対してロール媒体が着脱されるための着脱用高さでロール媒体が仮置きされる媒体仮置き装置に関する。
【背景技術】
【０００２】
従来、ロール媒体に印刷を実行するインクジェットプリンターとして、ロール媒体に印刷を実行する印刷部と、印刷部による印刷のためにロール媒体を保持する媒体保持部と、媒体保持部に対してロール媒体が着脱されるための着脱用高さでロール媒体が仮置きされる媒体仮置き装置とを備えているものが知られている（特許文献１参照。）。
【先行技術文献】
【特許文献】
【０００３】
【特許文献１】特開２０１３−４００２０号公報
【発明の概要】
【発明が解決しようとする課題】
【０００４】
しかしながら、従来のインクジェットプリンターの媒体仮置き装置は、インクジェットプリンターに着脱不可能に備えられているので、媒体仮置き装置の設計を変更した場合に、インクジェットプリンター自体の設計も変更する必要があるという問題がある。
【０００５】
そこで、本発明は、インクジェットプリンターとは独立して設計変更されることができる媒体仮置き装置を提供することを目的とする。
【課題を解決するための手段】
【０００６】
本発明の媒体仮置き装置は、ロール状の印刷媒体であるロール媒体に印刷を実行する印刷部と、前記印刷部による印刷のために前記ロール媒体を保持する媒体保持部とを備えているインクジェットプリンターの前記媒体保持部に対して前記ロール媒体が着脱されるための着脱用高さで前記ロール媒体が仮置きされる媒体仮置き装置であって、前記ロール媒体が載置される媒体載置部と、前記媒体載置部の高さを調整する高さ調整機構と、前記インクジェットプリンターに着脱可能に連結される連結部とを備えていることを特徴とする。
【０００７】
この構成により、本発明の媒体仮置き装置は、インクジェットプリンターに対して着脱可能であるので、インクジェットプリンターとは独立して設計変更されることができる。
【０００８】
また、本発明の媒体仮置き装置において、前記連結部は、前記インクジェットプリンターにおいて前記ロール媒体の延在方向に延在して前記媒体保持部を前記延在方向に移動可能に支持するガイド部材に着脱可能に連結されても良い。
【０００９】
この構成により、本発明の媒体仮置き装置は、媒体仮置き装置自身が着脱されるための専用の部分がインクジェットプリンターに設けられる必要がないので、媒体仮置き装置自身が着脱されるための専用の部分がインクジェットプリンターに設けられる構成と比較して、インクジェットプリンターの構造を簡略化することができる。
【００１０】
また、本発明の媒体仮置き装置において、前記高さ調整機構は、前記媒体載置部の高さを調整するための動力が入力される操作部と、前記媒体載置部の高さの上昇を許容して下降を禁止するロック機構とを備えていても良い。
【００１１】
この構成により、本発明の媒体仮置き装置は、操作部に入力された動力によって媒体載置部の高さが上昇させられるとともに、媒体載置部の高さが下降させられることをロック機構によって自動的に禁止するので、媒体載置部の高さを固定する操作を不要にすることができる。したがって、本発明の媒体仮置き装置は、媒体載置部の高さの調整の操作を容易化することができる。
【００１２】
また、本発明の媒体仮置き装置において、前記高さ調整機構は、前記操作部に入力された動力によって生じた回転力を前記媒体載置部の高さ方向の動きに変換するラック・アンド・ピニオンを備えていても良い。
【００１３】
この構成により、本発明の媒体仮置き装置は、媒体載置部の高さを連続的に調整することができる。
【発明の効果】
【００１４】
本発明の媒体仮置き装置は、インクジェットプリンターとは独立して設計変更されることができる。
【図面の簡単な説明】
【００１５】
【図１】本発明の一実施の形態に係るインクジェットプリンターの外観斜視図である。
【図２】ロール媒体が取り外された状態での図１に示すインクジェットプリンターの外観斜視図である。
【図３】図１に示す媒体仮置き装置の外観斜視図である。
【図４】（ａ）は、媒体載置部の高さが低い状態での図３に示す媒体仮置き装置の側面図である。（ｂ）は、媒体載置部の高さが高い状態での図３に示す媒体仮置き装置の側面図である。
【図５】（ａ）は、高さ調整機構の一部の部材を透明化した場合における図４（ａ）に示す状態での媒体仮置き装置の側面図である。  （ｂ）は、高さ調整機構の一部の部材を透明化した場合における図４（ｂ）に示す状態での媒体仮置き装置の側面図である。
【図６】（ａ）は、ケースと、高さ調整機構の一部の部材とを透明化した場合における図４（ａ）に示す状態での媒体仮置き装置の側面図である。  （ｂ）は、ケースと、高さ調整機構の一部の部材とを透明化した場合における図４（ｂ）に示す状態での媒体仮置き装置の側面図である。
【図７】（ａ）は、ケースおよび媒体載置部と、高さ調整機構の一部の部材とを透明化した場合における図４（ａ）に示す状態での媒体仮置き装置の側面図である。  （ｂ）は、ケースおよび媒体載置部と、高さ調整機構の一部の部材とを透明化した場合における図４（ｂ）に示す状態での媒体仮置き装置の側面図である。
【図８】（ａ）は、ケースおよび媒体載置部を透明化するとともに、高さ調整機構のうち図７より多くの部材を透明化した場合における図４（ａ）に示す状態での媒体仮置き装置の側面図である。  （ｂ）は、ケースおよび媒体載置部を透明化するとともに、高さ調整機構のうち図７より多くの部材を透明化した場合における図４（ｂ）に示す状態での媒体仮置き装置の側面図である。
【図９】ハンドルの回転のうち一方向の回転を禁止している状態での図３に示すロック機構の側面図である。
【図１０】ロール媒体および媒体仮置き装置が取り外された状態での図１に示すインクジェットプリンターの外観斜視図である。
【図１１】媒体仮置き装置にロール媒体が仮置きされた状態での図１に示すインクジェットプリンターの外観斜視図である。
【図１２】ハンドルの回転の禁止を解除している状態での図３に示すロック機構の側面図である。
【発明を実施するための形態】
【００１６】
以下、本発明の一実施の形態について、図面を用いて説明する。
【００１７】
まず、本実施の形態に係るインクジェットプリンターの構成について説明する。
【００１８】
図１は、本実施の形態に係るインクジェットプリンター１０の外観斜視図である。
【００１９】
図１に示すように、インクジェットプリンター１０は、床９０に設置される脚部２０と、脚部２０に設置されていてロール状の印刷媒体であるロール媒体８０に印刷を実行する印刷部３０と、脚部２０に設置されていて印刷部３０による印刷のために印刷媒体の繰り出し側でロール媒体８０を保持する繰出側保持部４０と、脚部２０に設置されていて印刷部３０による印刷のために印刷媒体の巻き取り側でロール媒体８０を保持する巻取側保持部５０とを備えている。
【００２０】
印刷部３０は、矢印１０ａで示す主走査方向に延在している。印刷部３０は、繰出側保持部４０に保持されているロール媒体８０から繰り出された印刷媒体を主走査方向とは直交する矢印１０ｂで示す副走査方向に搬送して、巻取側保持部５０に保持されているロール媒体８０として巻き取らせる。また、印刷部３０は、印刷媒体に向けてインクを吐出する図示していないインクジェットヘッドを主走査方向に移動させてインクジェットヘッドによって印刷媒体に印刷を実行する。
【００２１】
図２は、ロール媒体８０が取り外された状態でのインクジェットプリンター１０の外観斜視図である。
【００２２】
図１および図２に示すように、繰出側保持部４０は、印刷部３０による印刷のためにロール媒体８０を保持する媒体保持部としての一対のロールホルダー４１と、矢印１０ａで示すロール媒体８０の延在方向に延在してロールホルダー４１を矢印１０ａで示す延在方向に移動可能に支持するガイド部材４２、４３とを備えている。
【００２３】
ロールホルダー４１は、円柱状のガイド部材４２が挿入される孔４１ａが形成されている。また、ロールホルダー４１は、ガイド部材４３に載置されるガイド部材接触部４１ｂと、ロール媒体８０の芯を構成する図示していない紙管に挿入されるロール媒体挿入部４１ｃと、締め付けられることによってガイド部材４２に接触して矢印１０ａで示す方向におけるロールホルダー４１の位置を固定する固定ネジ４１ｄとを備えている。
【００２４】
巻取側保持部５０の構成は、繰出側保持部４０の構成と同様であるので、説明を省略する。
【００２５】
インクジェットプリンター１０には、ロールホルダー４１に対してロール媒体８０が着脱されるための高さ（以下「着脱用高さ」と言う。）でロール媒体８０が仮置きされる一対の媒体仮置き装置１００が取り付けられている。
【００２６】
図３は、媒体仮置き装置１００の外観斜視図である。
【００２７】
図３に示すように、媒体仮置き装置１００は、ケース１１０と、ロール媒体８０（図１参照。）が載置される媒体載置部１２０と、矢印１０ａで示す方向および矢印１０ｂで示す方向の両方に直交する矢印１０ｃで示す方向における媒体載置部１２０の高さを調整する高さ調整機構１３０とを備えている。
【００２８】
図４（ａ）は、媒体載置部１２０の高さが低い状態での媒体仮置き装置１００の側面図である。図４（ｂ）は、媒体載置部１２０の高さが高い状態での媒体仮置き装置１００の側面図である。図５（ａ）は、高さ調整機構１３０の一部の部材を透明化した場合における図４（ａ）に示す状態での媒体仮置き装置１００の側面図である。図５（ｂ）は、高さ調整機構１３０の一部の部材を透明化した場合における図４（ｂ）に示す状態での媒体仮置き装置１００の側面図である。
【００２９】
図３〜図５に示すように、ケース１１０は、インクジェットプリンター１０（図１参照。）のガイド部材４２に着脱可能に連結される連結部としての半円状の溝部１１１ａを有するフレーム１１１と、インクジェットプリンター１０のガイド部材４３に着脱可能に連結される連結部としての接触部１１２ａを有するフレーム１１２と、高さ調整機構１３０を固定するためのフレーム１１３とを備えている。フレーム１１１と、フレーム１１２とは、複数のネジ１１０ａによって互いに固定されている。フレーム１１１と、フレーム１１３とは、複数のネジ１１０ｂによって互いに固定されている。
【００３０】
フレーム１１１は、ロール媒体８０が載置されるために中央の高さが低くなっている傾斜部１１１ｂを備えている。フレーム１１１には、高さ調整機構１３０の後述する軸１３９が挿入される切欠き１１１ｃと、高さ調整機構１３０の後述するロック機構１５０のネジ１５２が固定されるネジ孔１１１ｄと、高さ調整機構１３０の後述するロック機構１５０の回転規制部材１５３の回転の範囲を規制するための円弧状のガイド溝１１１ｅとが形成されている。
【００３１】
図６（ａ）は、ケース１１０と、高さ調整機構１３０の一部の部材とを透明化した場合における図４（ａ）に示す状態での媒体仮置き装置１００の側面図である。図６（ｂ）は、ケース１１０と、高さ調整機構１３０の一部の部材とを透明化した場合における図４（ｂ）に示す状態での媒体仮置き装置１００の側面図である。
【００３２】
図３および図６に示すように、媒体載置部１２０は、高さ調整機構１３０の後述するラック１３３に連結されたフレーム１２１と、フレーム１２１に連結されたフレーム１２２とを備えている。フレーム１２１と、フレーム１２２とは、複数のネジ１２０ａによって互いに固定されている。
【００３３】
フレーム１２１は、ロール媒体８０が載置されるために中央の高さが低くなっている傾斜部１２１ａを備えている。フレーム１２１には、高さ調整機構１３０の後述するギア１３５との接触を回避するための切欠き１２１ｂが形成されている。
【００３４】
フレーム１２２は、ロール媒体８０が載置されるために中央の高さが低くなっている傾斜部１２２ａを備えている。フレーム１２２には、インクジェットプリンター１０のガイド部材４２との接触を回避するための切欠き１２２ｂと、高さ調整機構１３０の後述する軸１３９との接触を回避するための切欠き１２２ｃとが形成されている。
【００３５】
図７（ａ）は、ケース１１０および媒体載置部１２０と、高さ調整機構１３０の一部の部材とを透明化した場合における図４（ａ）に示す状態での媒体仮置き装置１００の側面図である。図７（ｂ）は、ケース１１０および媒体載置部１２０と、高さ調整機構１３０の一部の部材とを透明化した場合における図４（ｂ）に示す状態での媒体仮置き装置１００の側面図である。図８（ａ）は、ケース１１０および媒体載置部１２０を透明化するとともに、高さ調整機構１３０のうち図７より多くの部材を透明化した場合における図４（ａ）に示す状態での媒体仮置き装置１００の側面図である。図８（ｂ）は、ケース１１０および媒体載置部１２０を透明化するとともに、高さ調整機構１３０のうち図７より多くの部材を透明化した場合における図４（ｂ）に示す状態での媒体仮置き装置１００の側面図である。
【００３６】
図３、図４、図７および図８に示すように、高さ調整機構１３０は、ケース１１０のフレーム１１１に複数のネジ１００ａによって固定されるフレーム１３１と、ケース１１０のフレーム１１３に複数のネジ１００ｂによって固定されるフレーム１３２と、フレーム１３１およびフレーム１３２によって矢印１０ｃで示す方向に移動可能に支持されたラック１３３と、矢印１０ｃで示す方向とは直交する方向に延在していてフレーム１３１およびフレーム１３２によって回転可能に支持された軸１３４と、軸１３４に固定されていてラック１３３と噛み合っているギア１３５と、軸１３４と平行に延在していてフレーム１３１およびフレーム１３２によって回転可能に支持された軸１３６と、軸１３６に固定されていてギア１３５より径が小さくギア１３５と噛み合っているギア１３７と、軸１３６およびギア１３７に固定されていてギア１３７より径が大きいギア１３８と、軸１３４と平行に延在していてフレーム１３１およびフレーム１３２によって回転可能に支持された軸１３９と、軸１３９に固定されていてギア１３８より径が小さくギア１３８と噛み合っているギア１４０と、媒体載置部１２０の高さを調整するための動力として回転力が入力される操作部としてのハンドル１４１と、媒体載置部１２０の高さの上昇を許容して下降を禁止するロック機構１５０とを備えている。
【００３７】
フレーム１３１には、ラック１３３を移動可能に支持するためのガイド溝１３１ａと、軸１３４を回転可能に支持するための孔１３１ｂと、軸１３６を回転可能に支持するための孔１３１ｃと、軸１３９を回転可能に支持するための孔１３１ｄとが形成されている。
【００３８】
同様に、フレーム１３２には、ラック１３３を移動可能に支持するためのガイド溝１３２ａと、軸１３４を回転可能に支持するための図示していない孔と、軸１３６を回転可能に支持するための図示していない孔と、軸１３９を回転可能に支持するための図示していない孔とが形成されている。
【００３９】
フレーム１３１と、フレーム１３２とは、複数のネジ１３０ａによって互いに固定されている。
【００４０】
ラック１３３は、フレーム１３１のガイド溝１３１ａに挿入される複数の突起１３３ａを備えている。同様に、ラック１３３は、フレーム１３２のガイド溝１３２ａに挿入される図示していない複数の突起を備えている。ラック１３３と、媒体載置部１２０のフレーム１２１とは、ネジ１００ｃ（図６参照。）によって互いに固定されている。
【００４１】
ラック１３３およびギア１３５は、ハンドル１４１に入力された回転力を媒体載置部１２０の矢印１０ｃで示す高さ方向の動きに変換するラック・アンド・ピニオンを構成している。
【００４２】
軸１３９と、ハンドル１４１とは、ネジ１３０ｂによって互いに固定されている。
【００４３】
図９は、ハンドル１４１の回転のうち一方向の回転を禁止している状態でのロック機構１５０の側面図である。
【００４４】
図９に示すように、ロック機構１５０は、ハンドル１４１に取り付けられるハンドル取付部１５１と、ケース１１０のフレーム１１１のネジ孔１１１ｄ（図５参照。）に固定されていて先端以外の部分がネジ山が形成されていない円筒状であるネジ１５２と、ハンドル取付部１５１の外周面に接触することによってハンドル取付部１５１の回転を規制する回転規制部材１５３と、回転規制部材１５３に取り付けられたネジ１５４とを備えている。
【００４５】
ハンドル取付部１５１は、回転規制部材１５３と接触するための凹凸部１５１ａを外周面に備えている。凹凸部１５１ａは、周方向において角度９０度毎に周期的に形成されている。ハンドル１４１と、ハンドル取付部１５１とは、複数のネジ１５０ａによって互いに固定されている。
【００４６】
回転規制部材１５３は、ネジ１５２の円筒状の部分に回転可能に支持されている。回転規制部材１５３は、ケース１１０のフレーム１１１のガイド溝１１１ｅに挿入される突起部１５３ａと、ハンドル取付部１５１の凹凸部１５１ａに接触するための爪部１５３ｂと、利用者によって操作されるレバー１５３ｃとを備えている。
【００４７】
回転規制部材１５３は、図９に示す状態において、ネジ１５４の重量によって、ネジ１５２を中心とした矢印１５２ａで示す方向に付勢されている。また、回転規制部材１５３は、図９に示す状態において、突起部１５３ａがガイド溝１１１ｅの端部に接触して停止している。
【００４８】
次に、ロールホルダー４１へのロール媒体８０の装着方法について説明する。
【００４９】
図１０は、ロール媒体８０および媒体仮置き装置１００が取り外された状態でのインクジェットプリンター１０の外観斜視図である。
【００５０】
図１０に示すように媒体仮置き装置１００（図３参照。）がインクジェットプリンター１０に装着されていない場合、利用者は、図２に示すように媒体仮置き装置１００をインクジェットプリンター１０に装着する。具体的には、媒体仮置き装置１００は、溝部１１１ａ、接触部１１２ａがそれぞれインクジェットプリンター１０のガイド部材４２、４３に接触するように、ガイド部材４２、４３に載せられることによって、インクジェットプリンター１０に装着される。
【００５１】
図１１は、媒体仮置き装置１００にロール媒体８０が仮置きされた状態でのインクジェットプリンター１０の外観斜視図である。
【００５２】
インクジェットプリンター１０が図２に示す状態である場合、利用者は、図１１に示すように媒体仮置き装置１００にロール媒体８０を仮置きする。具体的には、ロール媒体８０は、ケース１１０に対する媒体載置部１２０の高さに応じて、ケース１１０の傾斜部１１１ｂと、媒体載置部１２０の傾斜部１２１ａおよび傾斜部１２２ａとの少なくとも一方に仮置きされる。
【００５３】
インクジェットプリンター１０が図１１に示す状態である場合、利用者は、ロール媒体８０の芯を構成する図示していない紙管にロールホルダー４１のロール媒体挿入部４１ｃを挿入し易い高さまで、媒体仮置き装置１００によってロール媒体８０の高さを調整する。すなわち、ロール媒体８０の高さが着脱用高さになるまで媒体仮置き装置１００を調整する。
【００５４】
具体的には、利用者は、媒体仮置き装置１００のハンドル１４１を矢印１４１ａ（図９参照。）で示す方向に回転させることによって、ケース１１０に対する媒体載置部１２０の高さを高くすることができる。
【００５５】
ハンドル１４１が矢印１４１ａで示す方向に回転させられる場合、ハンドル１４１に固定されているハンドル取付部１５１も矢印１４１ａで示す方向に回転する。ハンドル取付部１５１が矢印１４１ａで示す方向に回転して凹凸部１５１ａで回転規制部材１５３の爪部１５３ｂに接触すると、回転規制部材１５３には、ハンドル取付部１５１からネジ１５２を中心とした矢印１５２ｂ（図９参照。）で示す方向の回転力が加わる。ここで、回転規制部材１５３は、図９に示す状態である場合に、ネジ１５２を中心として矢印１５２ｂで示す方向に回転しても、突起部１５３ａがケース１１０のフレーム１１１のガイド溝１１１ｅに沿って移動可能であるので、ネジ１５２を中心として矢印１５２ｂで示す方向に回転することができる。すなわち、ハンドル１４１が矢印１４１ａで示す方向に回転させられる場合、ロック機構１５０は、矢印１４１ａで示す方向におけるハンドル１４１の回転を許容する。
【００５６】
ハンドル１４１が矢印１４１ａで示す方向に回転させられると、ハンドル１４１の回転は、ハンドル１４１とともに軸１３９に固定されているギア１４０に伝達され、ギア１４０と噛み合っているギア１３８に伝達され、ギア１３８とともに軸１３６に固定されているギア１３７に伝達され、ギア１３７と噛み合っているギア１３５に伝達される。そして、ギア１３５に伝達された回転は、ギア１３５と噛み合っているラック１３３によって矢印１０ｃで示す方向への動きに変換されて、ケース１１０に対する媒体載置部１２０の高さを高くする。
【００５７】
なお、ハンドル１４１が矢印１４１ｂ（図９参照。）で示す方向に回転させられる場合、ハンドル１４１に固定されているハンドル取付部１５１も矢印１４１ｂで示す方向に回転する。ハンドル取付部１５１が矢印１４１ｂで示す方向に回転して凹凸部１５１ａで回転規制部材１５３の爪部１５３ｂに接触すると、回転規制部材１５３には、ハンドル取付部１５１からネジ１５２を中心とした矢印１５２ａ（図９参照。）で示す方向の回転力が加わる。ここで、回転規制部材１５３は、図９に示す状態である場合に、突起部１５３ａがガイド溝１１１ｅの端部に接触して停止しているので、ネジ１５２を中心として矢印１５２ａで示す方向に回転することができない。すなわち、ハンドル１４１が矢印１４１ｂで示す方向に回転させられる場合、ロック機構１５０は、矢印１４１ｂで示す方向におけるハンドル１４１の回転を禁止する。したがって、利用者は、ケース１１０に対する媒体載置部１２０の高さを高くする場合、ハンドル１４１を矢印１４１ａで示す方向に回転させるだけで良く、ハンドル１４１から手を離したとしても、例えばロール媒体８０の重みによってケース１１０に対する媒体載置部１２０の高さが低くなることがない。
【００５８】
利用者は、媒体仮置き装置１００のハンドル１４１を矢印１４１ｂで示す方向に回転させることによって、ケース１１０に対する媒体載置部１２０の高さを低くすることができる。
【００５９】
図１２は、ハンドル１４１の回転の禁止を解除している状態でのロック機構１５０の側面図である。
【００６０】
上述したように、ロック機構１５０が図９に示す状態である場合、矢印１４１ｂで示す方向におけるハンドル１４１の回転は、ロック機構１５０によって禁止されている。したがって、利用者は、回転規制部材１５３がネジ１５２を中心として矢印１５２ｂで示す方向に回転することができるようにハンドル１４１を矢印１４１ａで示す方向に僅かに回転させた後、回転規制部材１５３のレバー１５３ｃを操作して回転規制部材１５３をネジ１５２を中心とした矢印１５２ｂで示す方向に回転させて、図１２に示す状態にする。すなわち、利用者は、ロック機構１５０による矢印１４１ｂで示す方向におけるハンドル１４１の回転の禁止を解除する。
【００６１】
ロック機構１５０が図１２に示す状態である場合、ハンドル１４１が矢印１４１ｂで示す方向に回転させられると、ハンドル１４１の回転は、ハンドル１４１とともに軸１３９に固定されているギア１４０に伝達され、ギア１４０と噛み合っているギア１３８に伝達され、ギア１３８とともに軸１３６に固定されているギア１３７に伝達され、ギア１３７と噛み合っているギア１３５に伝達される。そして、ギア１３５に伝達された回転は、ギア１３５と噛み合っているラック１３３によって矢印１０ｃで示す方向への動きに変換されて、ケース１１０に対する媒体載置部１２０の高さを低くする。なお、ケース１１０に対する媒体載置部１２０の高さが低くなる場合、例えばロール媒体８０が非常に重いときには、利用者がハンドル１４１を矢印１４１ｂで示す方向に積極的に回転させなくても、ロール媒体８０の重みによってケース１１０に対する媒体載置部１２０の高さが低くなって、動力がラック１３３、ギア１３５、ギア１３７、ギア１３８、ギア１４０を順に介して、ハンドル１４１が矢印１４１ｂで示す方向に回転させられる場合もある。
【００６２】
以上のようにしてケース１１０に対する媒体載置部１２０の高さが調整されることによって、媒体載置部１２０上のロール媒体８０の高さが着脱用高さに調整されると、利用者は、一対の媒体仮置き装置１００のうちロール媒体８０の一端側の媒体仮置き装置１００の媒体載置部１２０からロール媒体８０が僅かに離れるようにロール媒体８０の一端を持ち上げた状態で、一対のロールホルダー４１のうちのロール媒体８０の一端側のロールホルダー４１（以下「一端側ロールホルダー」と言う。）をガイド部材４２、４３に沿って矢印１０ａで示す方向に移動させることによって、ロール媒体８０の芯を構成する図示していない紙管に一端側ロールホルダーのロール媒体挿入部４１ｃを挿入する。そして、利用者は、一端側ロールホルダーの固定ネジ４１ｄを締めることによって、矢印１０ａで示す方向における一端側ロールホルダーの位置を固定する。
【００６３】
次いで、利用者は、一対の媒体仮置き装置１００のうちロール媒体８０の他端側の媒体仮置き装置１００の媒体載置部１２０からロール媒体８０が僅かに離れるようにロール媒体８０の他端を持ち上げた状態で、一対のロールホルダー４１のうちのロール媒体８０の他端側のロールホルダー４１（以下「他端側ロールホルダー」と言う。）をガイド部材４２、４３に沿って矢印１０ａで示す方向に移動させることによって、ロール媒体８０の芯を構成する図示していない紙管に他端側ロールホルダーのロール媒体挿入部４１ｃを挿入する。そして、利用者は、他端側ロールホルダーの固定ネジ４１ｄを締めることによって、矢印１０ａで示す方向における他端側ロールホルダーの位置を固定する。
【００６４】
最後に、利用者は、一対のロールホルダー４１によって保持されたロール媒体８０から印刷媒体を引き出して、図１に示すようにロールホルダー４１へのロール媒体８０の装着を完了する。
【００６５】
以上においては、ロールホルダー４１へのロール媒体８０の装着方法について説明したが、ロールホルダー４１からのロール媒体８０の取り外し方法についても、手順が逆であることを除いて同様である。
【００６６】
なお、ロール媒体８０を交換する場合に、同一の規格のロール媒体８０同士の交換のときには、ロール媒体８０の未使用時（新品時）の径が常に一定であるため、媒体仮置き装置１００は、ケース１１０に対する媒体載置部１２０の高さの調整がやり直される必要がない。
【００６７】
以上に説明したように、媒体仮置き装置１００は、インクジェットプリンター１０に対して着脱可能であるので、インクジェットプリンター１０とは独立して設計変更されることができる。
【００６８】
例えば、媒体仮置き装置１００は、それまで装着されていたインクジェットプリンター１０から取り外されて、そのインクジェットプリンター１０とは機種が異なるインクジェットプリンター１０に装着される場合であっても、両者のインクジェットプリンター１０において媒体仮置き装置１００が装着される部分の規格が同一である限り、後者のインクジェットプリンター１０に装着されることができる。逆に、媒体仮置き装置１００は、媒体仮置き装置１００自体が設計変更されたとしても、インクジェットプリンター１０に装着される部分の規格が変更されない限り、設計変更前に装着されていたインクジェットプリンター１０と同一機種のインクジェットプリンター１０に装着されることができる。
【００６９】
媒体仮置き装置１００は、ロールホルダー４１を矢印１０ａで示す方向に移動可能に支持するガイド部材４２、４３に着脱可能に連結される溝部１１１ａ、接触部１１２ａを備えている。この構成により、媒体仮置き装置１００は、媒体仮置き装置１００自身が着脱されるための専用の部分がインクジェットプリンター１０に設けられる必要がないので、媒体仮置き装置１００自身が着脱されるための専用の部分がインクジェットプリンター１０に設けられる構成と比較して、インクジェットプリンター１０の構造を簡略化することができる。
【００７０】
なお、インクジェットプリンター１０は、媒体仮置き装置１００が着脱されるための専用の部分が設けられていても良い。
【００７１】
媒体仮置き装置１００は、媒体載置部１２０の高さを調整するための動力が入力されるハンドル１４１と、媒体載置部１２０の高さの上昇を許容して下降を禁止するロック機構１５０とを備えている。この構成により、媒体仮置き装置１００は、ハンドル１４１に入力された動力によって媒体載置部１２０の高さが上昇させられるとともに、媒体載置部１２０の高さが下降させられることをロック機構１５０によって自動的に禁止するので、媒体載置部１２０の高さを固定する操作を不要にすることができる。したがって、媒体仮置き装置１００は、媒体載置部１２０の高さの調整の操作を容易化することができる。
【００７２】
なお、媒体仮置き装置１００は、媒体載置部１２０の高さの上昇を許容して下降を禁止するロック機構１５０を備えていない代わりに、利用者の操作に応じて媒体載置部１２０の高さの下降を禁止する構成を備えていても良い。
【００７３】
媒体仮置き装置１００は、ラック１３３およびギア１３５によって構成されるラック・アンド・ピニオンを備えているので、媒体載置部１２０の高さを連続的に調整することができる。なお、媒体仮置き装置１００は、ラック・アンド・ピニオンを備えていなくても良い。
【００７４】
インクジェットプリンター１０は、巻取側保持部５０（図１参照。）についても、繰出側保持部４０と同様の構成であっても良い。すなわち、巻取側保持部５０についても、媒体仮置き装置１００を着脱可能である。
【００７５】
インクジェットプリンター１０は、本実施の形態において、ロール媒体８０がロールホルダー４１に装着されている状態で、媒体仮置き装置１００が取り外されることができないようになっている。しかしながら、インクジェットプリンター１０は、ロール媒体８０がロールホルダー４１に装着されている状態で、媒体仮置き装置１００が取り外されることができるようになっていても良い。ロール媒体８０がロールホルダー４１に装着されている状態で、インクジェットプリンター１０から媒体仮置き装置１００が取り外されることができる場合、媒体仮置き装置１００は、複数のインクジェットプリンター１０で兼用されることができる。
【符号の説明】
【００７６】
１０  インクジェットプリンター
１０ａ  矢印（ロール媒体の延在方向を示す矢印）
３０  印刷部
４１  ロールホルダー（媒体保持部）
４２、４３  ガイド部材
８０  ロール媒体
１００  媒体仮置き装置
１１１ａ  溝部（連結部）
１１２ａ  接触部（連結部）
１２０  媒体載置部
１３０  高さ調整機構
１３３  ラック（ラック・アンド・ピニオン）
１３５  ギア（ラック・アンド・ピニオン）
１４１  ハンドル（操作部）
１５０  ロック機構
【図１】
2015129030.tif 000003
【図２】
2015129030.tif 000004
【図３】
2015129030.tif 000005
【図４】
2015129030.tif 000006
【図５】
2015129030.tif 000007
【図６】
2015129030.tif 000008
【図７】
2015129030.tif 000009
【図８】
2015129030.tif 000010
【図９】
2015129030.tif 000011
【図１０】
2015129030.tif 000012
【図１１】
2015129030.tif 000013
【図１２】
2015129030.tif 000014